【手続補正書】
【提出日】平成16年10月29日(2004.10.29)
【手続補正１】
【補正対象書類名】明細書
【補正対象項目名】全文
【補正方法】変更
【補正の内容】
【書類名】        明細書
【発明の名称】  制御基板収納ボックスの不正防止構造
【特許請求の範囲】
【請求項１】  複数の封印部からなる封印部群を有する制御基板収納ボックスにおいて、この制御基板収納ボックスのカバー体の適所に嵌込み固着手段により管理番号シートを固着する構成とし、
前記嵌込み固着手段は、カバー体に凹設された嵌込み凹部と、その同嵌込み凹部に前記管理番号シートを間に挟んで嵌込まれる閉止部材と、を備え、
前記嵌込み凹部にはあり溝が形成される一方、前記閉止部材には前記あり溝に嵌込まれて係止される係止部が形成され、前記あり溝と係止部との係合力によって前記嵌込み凹部に前記閉止部材が嵌込み固定される構成にしてあることを特徴とする制御基板収納ボックスの不正防止構造。
【請求項２】  複数の封印部からなる封印部群を有する制御基板収納ボックスにおいて、
前記制御基板収納ボックスのカバー体の適所に嵌込み固着手段により管理番号シートを固着する構成とし、
前記嵌込み固着手段は、カバー体に凹設された嵌込み凹部と、その同嵌込み凹部に前記管理番号シートを間に挟んで嵌込まれる閉止部材と、を備え、
前記嵌込み凹部に対し前記閉止部材が取り外されたときに前記管理番号シートが破断されるように、前記管理番号シートの裏面の一側部が前記嵌込み凹部の底部に接着され、同管理番号シートの表面の他側部が前記閉止部材の下面に接着されていることを特徴とする制御基板収納ボックスの不正防止構造。
【発明の詳細な説明】
【０００１】
【発明の属する技術分野】
この発明は、パチンコ機における制御基板収納ボックスに対する不正防止構造に関するものである。
【０００２】
【従来の技術】
従来より、制御基板の不正改造、例えば不正ＲＯＭの交換を防止するために、制御基板を収納する制御基板収納ボックスには様々な工夫が施されているが、一般的にはカバー体をケース体にビス止めして固定し、その上で両者間に管理番号を付した封印シールを貼り付けておくことにより、カバー体の開放そのものを禁止して制御基板の不正改造を防止するとともに、万一カバー体が開けられて不正改造が行われた場合には、封印シールが切断されていることから容易に不正行為が行われた事実を発見できるようなっており、封印シールに付した管理番号と、パチンコ機の例えば右下隅部に付した遊技板番号シールを照合することで正規の制御基板収納ボックスが取付けられているか、否かが判断されていた。しかしながら、この従来の方法では、封印シールさえ剥がせばカバー体を開けることができるので、比較的容易に制御基板の不正改造を行うことができてしまうという問題があり、また不正改造後、封印シールを巧妙に再度貼り付ければ、不正改造の事実を発見することも困難になってしまうという問題がある。そこで、制御基板に不正ができないにうに例えば、
（ａ）制御基板収納ボックスを無理に開けようとすると、ケース体およびカバー体が破損するもの、
（ｂ）制御基板収納ボックスを開けるとその痕跡が残るもの、（特願平９−２１６３８号）等
が開発されている。
【０００３】
【発明が解決しようとする課題】
しかしながら、この（ａ）の場合、不正を行う対象は制御基板であることから、管理番号を付した封印シールを巧みに剥がし、ケース体およびカバー体を破損して制御基板を無傷で取出し、同制御基板に不正を施した後、予め準備した（不正に入手した）ケース体およびカバー体に収納し、封印シールを元の位置に貼着すれば、遊技板番号と一致し、結果、不正を行うことができ、不正を発見することができないという問題点がある。
【０００４】
また、（ｂ）の場合（特願平９−２１６３８号）、図１３および図１４に示すように、制御基板収納ボックス１０１はケース体１０２に制御基板１０３が嵌込まれるとともに、カバー体１０４が取付けられた状態で制御基板１０３の実装面１０５に取付けられたＲＯＭ，ＩＣ等の実装部品が覆われている。このケース体１０２にカバー体１０４を取付けた状態で両部材１０２，１０４の四周の所定の位置（３箇所）には複数の封印部１０７からなる封印部群１０６が配設されて、ケース体１０２とカバー体１０３は各封印部群１０６の１つの封印部１０７が封印ビス１０９により締結されて封印するようになっており、この封印部１０７の開封部１０８を切断することで、制御基板収納ボックス１０１を４回開封できるようになっている。
【０００５】
また、このカバー体１０４の天板の管理番号シール貼着部１１０には管理番号シール１１１が貼着され、また、シリアルナンバーシール貼着部１１２には開封履歴シール１１３が貼着されている。この開封履歴シール１１３には開封部１０８を切断して開封した年月日（ホール店長あるいは警察立ち会いで）を記録するようになっている。なお、この開封年月日はホール店長（警察）も経歴簿に記録している。こうすることにより、開封履歴シール１１３の日付とホール店長（警察）が記録した履歴簿の日付を照合することにより不正に開封されていないかがチェック可能となる。
【０００６】
しかしながら、この（ｂ）の場合においても以下のような手順で不正が行われる可能性がある。なお、この場合、図１３に示すように第１回目の開封がなされて第１番目Ａの封印部１０７が切断されて、第２番目Ｂの封印部１０７の封印ビス１０９が締結されて封印されているものとする。
（１）管理番号シール１１１および開封経歴シール１１３を剥がす。
（２）制御基板収納ボックス１０１の封印部群１０６の第２番目Ｂの封印部１０７の開封部１０８を切断して開封し、制御基板１０３を取り出す。
（３）制御基板１０３を不正改造する。
（４）一方、新しい制御基板収納ボックス１０１を、業者からの横流しにより入手あるいは他の機械に使用されている制御基板収納ボックス１０１を利用する。
（５）（４）で入手した制御基板収納ボックス１０１の第１番目Ａの封印部１０７の開封部１０８を切断して同ボックス内の制御基板１０３を取出し、（３）で改造した不正制御基板と入れ替え、第２番目Ｂの封印ビス１０９を締結して封印する。
（６）（１）により剥がした管理番号シール１１１および開封経歴シール１１３を元の位置に貼着する。
このようにすることで制御基板収納ボックス１０１を不正に改造することができ、不正を発見することができないという問題がある。
本発明は上記問題点を解決するためになされたもので、制御基板収納ボックスのケース体とカバー体との間に破断ネジで開封不能とする封印部を附設するとともに、カバー体に取付けた管理番号シートを取外し不能として制御基板に対する不正を防止し得る制御基板収納ボックスの不正防止構造を提供することを目的とするものである。
【０００７】
【課題を解決するための手段】
本発明は、上記技術課題を解決するため、
この発明の請求項１に係る制御基板収納ボックスの不正防止構造は、複数の封印部からなる封印部群を有する制御基板収納ボックスにおいて、この制御基板収納ボックスのカバー体の適所に嵌込み固着手段により管理番号シートを固着する構成とし、
前記嵌込み固着手段は、カバー体に凹設された嵌込み凹部と、その同嵌込み凹部に前記管理番号シートを間に挟んで嵌込まれる閉止部材と、を備え、
前記嵌込み凹部にはあり溝が形成される一方、前記閉止部材には前記あり溝に嵌込まれて係止される係止部が形成され、前記あり溝と係止部との係合力によって前記嵌込み凹部に前記閉止部材が嵌込み固定される構成にしてあることを特徴とする。
【０００８】
前記構成において、カバー体の嵌込み凹部に管理番号シートを間に挟んで閉止部材が嵌込まれ、かつあり溝と係止部との係合力によって閉止部材が嵌込み固定されることで、カバー体の嵌込み凹部から閉止部材が不測に取り外されることを防止することができる。ひいては、管理番号シートが不測に取り外されて不正使用されることを防止することができる。
【０００９】
請求項２に係る制御基板収納ボックスの不正防止構造は、複数の封印部からなる封印部群を有する制御基板収納ボックスにおいて、
前記制御基板収納ボックスのカバー体の適所に嵌込み固着手段により管理番号シートを固着する構成とし、
前記嵌込み固着手段は、カバー体に凹設された嵌込み凹部と、その同嵌込み凹部に前記管理番号シートを間に挟んで嵌込まれる閉止部材と、を備え、
前記嵌込み凹部に対し前記閉止部材が取り外されたときに前記管理番号シートが破断されるように、前記管理番号シートの裏面の一側部が前記嵌込み凹部の底部に接着され、同管理番号シートの表面の他側部が前記閉止部材の下面に接着されていることを特徴とする。
【００１０】
前記構成において、カバー体の嵌込み凹部に管理番号シートを間に挟んで閉止部材が嵌込まれ、かつ管理番号シートの裏面の一側部が嵌込み凹部の底部に接着され、同管理番号シートの表面の他側部が閉止部材の下面に接着されることで、仮に、嵌込み凹部に対し閉止部材が取り外されたときには管理番号シートが破断されるため、管理番号シートが不測に取り外されて不正使用されることを防止することができる。
【００１１】
【発明の効果】
複数の封印部を破断してカバー体を開いて制御基板を不正改造して次位の封印部を封印し、開封履歴シートに開封年月日を記録したとしても、ホール店長の手元にある経歴簿と照合することで、不正に封印部を破断した痕跡があり、不正開封を発見することができて不正制御基板による損害を軽微とすることができる。とくに、管理番号シート取付部の嵌込み凹部に管理番号シートと共に嵌込み固定した閉止部材は取外し不能であり、たまさか、取外したとしても管理番号シートが破損して利用が不能となることから、正規の制御基板収納ボックスを破壊して、不正に入手した新たな制御基板収納ボックスを利用したとしても、カバー体に管理番号シートがないことから、不正制御基板収納ボックスであることを容易に視認することができ、不正制御基板を発見することができる。また、当該制御基板収納ボックスの封印部と開封数を合うように開封できる他の機械の制御基板収納ボックスを利用して開封し、不正制御基板を収納して封止したとしても、不正制御基板を収納したボックスに取付けた管理番号シートの管理番号と遊技板番号とが異なるので、不正取換えしたことが判り、不正制御基板を発見することができる。
【００１２】
【発明の実施の形態】
次に、本発明の実施の形態を図１ないし図３にしたがって説明すると、本実施形態の制御基板収納ボックス１０は、制御基板１１を収納するケース体１２と、このケース体１２に開閉可能に取り付けられて前記制御基板１１を覆うカバー体１３とを備えている。この制御基板収納ボックス１０は、周知のように遊技機の遊技盤の裏面に組付けられる図示しない裏カバー（詳しくは役物保護カバーあるいは裏機構板などが相当する。）に取り外し可能に結合されて遊技盤の裏面側に設置される。図１は当該制御基板収納ボックス１０を平面的に見た図であり、図３はケース体１２を単独で平面的に見た図である。従って、遊技盤の裏面側から平面的に見ると、当該制御基板収納ボックス１０は図１に示すように見え、図示手前側がカバー体１３であり、奥側がケース体１２である。
【００１３】
図３に示すように、ケース体１２は、ほぼ四角形板状をなしており、その外周部に側壁１２ａを備えている。ケース体１２の四隅部には、それぞれ下孔１４ａを有するボス部１４がそれぞれ形成されている。なお、図３における左下部のボス部１４はカバー固定用基準ボス部に設定され、残りのボス部は基板固定用取付ボス部に設定されている。
【００１４】
また、ケース体１２の左右側面には、それぞれ上下一対をなす係止ピン１５が突出されている。この係止ピン１５は、遊技盤の裏カバーに配置される左右のセットプレート１６（図１中の二点鎖線参照）の係合孔（図示省略）にそれぞれ係合されるものである。この係止ピン１５とセットプレート１６の係合をもって、制御基板収納ボックス１０が遊技盤の裏カバーに支持される。
【００１５】
図１及び図２に示すように、ケース体１２には、制御基板１１がほぼ隙間なく収納されている。制御基板１１は、表面を実装面１１ａとし、裏面をハンダ面１１ｂとしている。前記実装面１１ａには、ＲＯＭ１８、各種コネクタ１９の他、図示しないＲＡＭ、ＩＣ、ヒューズ等の部品が実装されている。ケース体１２と制御基板１１との間には、パンチングメタル等の導電材からなるシールド板２０が介在されている（図２参照）。シールド板２０は、遊技球の転がり摩擦等による静電気を遮断し、その静電気による制御基板１１の電子部品への影響によるノイズの発生を防止する。
【００１６】
制御基板１１は、その四隅部において前記ケース体１２の各ボス部１４の下孔１４ａにねじ込まれるタッピンネジからなる固定用ビス２１によって締着されている。図１における左下部の固定用ビス２１は、カバー体１３を固定するカバー固定用基準ビスを兼用している。カバー体１３は、制御基板１１の左縁部及び下縁部を露出するように前記ケース体１２より小さ目のほぼ四角形状に形成されており、その外周部に側壁１３ａを備えている（図２参照）。カバー体１３の左側面及び下側面を形成している側壁１３ａの先端は制御基板１１と当接し、またカバー体１３の上側面及び右側面を形成している側壁１３ａはケース体１２の側壁１２ａと一連状の側壁を形成している。
【００１７】
カバー体１３で覆われない制御基板１１の実装面１１ａには、各種コネクタ１９が配置されている。また、制御基板１１の実装面１１ａに配置されたＲＯＭ１８には矩形ボックス状のＲＯＭカバー２３が嵌め合わせによって被せられ、さらにカバー体１３でも覆われている。ＲＯＭカバー２３の上面は、カバー体１３と接面している。
【００１８】
カバー体１３の左側面を形成している側壁１３ａには凹所２４が設けられている。この凹所２４には、制御基板１１上のパワートランジスタ等の大きな熱を発生する熱源を取着した放熱部材（ヒートシンク）２５が露出されており、放熱効果が高められている。またカバー体１３には、制御基板収納ボックス１０の内部で発生する熱を逃がすための小径の放熱孔２６が多数開けられている。
【００１９】
図１に示すように、カバー体１３の正面中央部には、開封履歴シール５６の貼着部２７が設定されている。またカバー体１３の正面右下部には、確率変更キースイッチの取り付け孔２８が設けられている。またカバー体１３の正面右上部には、ＲＯＭ１８の上方に位置する部分（図２参照）に管理番号シート５５の取付部２９が設定されている。
【００２０】
前記カバー体１３には、図１に示すように放熱孔２６より大きい口径をなす上下左右の計４個の位置決め孔３３が形成されている。位置決め孔３３は、貫通していない有底状いわゆる窪み状に形成されている。これは制御基板収納ボックス１０内への異物の侵入を極力防ぐことを目的とし、位置決め孔３３からの針金等による不正改造行為を防止する。
【００２１】
一方、ケース体１２の下面には、前記位置決め孔３３と同一軸線上に位置する位置決め突起３４が突出されている（図２参照）。このため、例えば、複数の制御基板収納ボックス１０を積み重ねたときに、下側の制御基板収納ボックス１０の位置決め孔３３に上側の制御基板収納ボックス１０の位置決め突起３４が係合することにより、制御基板収納ボックス１０の荷崩れを防止することができる。このことは、制御基板収納ボックス１０の輸送時、遊技機の組立工場での保管時等に有効である。また、遊技機の制御が複雑になり、制御基板１１の面積を大きくしなければならない場合に、１枚の制御基板１１で対処しようとすると遊技機の裏側の限られた空間に収容することが困難になるため、制御基板１１を複数に分割して使用することが考えられるが、その際に特別な制御基板収納ボックス１０を作らないで、同一の制御基板収納ボックス１０を積み重ねて遊技機に搭載する場合に、前記位置決め孔３３と位置決め突起３４との係合による位置決め機能によって相互間の位置ずれを防止することができて好都合である。
【００２２】
また位置決め突起３４は、制御基板収納ボックス１０を積み重ねた時の荷崩れ防止の他、制御基板収納ボックス１０を遊技機の裏面（具体的には保護カバー等）に前記セットプレート１６を介して取り付けたときに制御基板収納ボックス１０を確実に保持する機能も有している。すなわち、通常、セットプレート１６が可撓性を有していることから、位置決め突起３４がない場合、制御基板収納ボックス１０の横方向（図１において左右方向）からの外力によりセットプレート１６が撓んで制御基板収納ボックス１０が保護カバー等から外れてしまうおそれがある。このため、保護カバー等に位置決め突起３４と係合する孔を設けておき、制御基板収納ボックス１０を保護カバー等に取り付けたときに位置決め突起３４を保護カバーの孔と係合させることにより、制御基板収納ボックス１０の横方向の外力による脱落を防止することができる。
【００２３】
次に、図１に示すように、制御基板収納ボックス１０の側面には適数群の封印部群３６が配置されている。本実施形態では、封印部群３６が制御基板収納ボックス１０の上側中央部、右側下部、及び左側下部の計３ヶ所に設定されている。各封印部群３６は、封印ビス３８によって封印可能な複数（図は４個を示す。）の封印部３７を備えている。各封印部群３６は同一の構成であるから、図１における右側下部の封印部群３６について図４〜図９を参照して詳述し、他の封印部群３６についてはその説明を省略する。なお、図４は封印部群３６の平面図、図５は封印部３７の封印状態を示す断面図、図６は封印ビス３８の仮止め状態を示す断面図、図７は封印部３７の分解断面図、図８は封印番号を示す封印部群３７の平面図、図９は封印ビス３８の説明図である。
【００２４】
先ず、封印ビス３８について図９を参照して説明する。図９において、封印ビス３８は、締めつけは可能であるが、弛めを不可能としたワンウエイタイプのネジであり、図９（ａ）は封印ビスの平面図、図９（ｂ）は正面図、図９（ｃ）は底面図、図９（ｄ）はネジ山の断面図である。封印ビス３８は、図９（ａ）〜（ｃ）に示すように、ネジ山３９ａを外周に有する軸部３９と、十字ドライバー等の回動操作部材と係合する係合孔４０ａを上面に有する頭部４０とからなる。頭部４０の係合孔４０ａは、十字ドライバー等による回動工具の締めつけ方向（図９（ａ）中、矢印Ａ方向参照）に関しては係合し、逆に弛め方向（図９（ａ）中、矢印Ｂ方向参照）に関しては非係合となる形状に形成されている。また軸部３９のネジ山３９ａには、図９（ｂ），（ｃ）に示されるように円周上に４ヶ所の溝部３９ｂがネジ山３９ａと交差状に形成されている。またネジ山３９ａのネジ山角は、図９（ｄ）に示されるように上下非対称となっている。
【００２５】
上記の構成を有する封印ビス３８は、回動工具による締めつけを可能とする一方、回動工具の弛め方向（図９（ａ）中、矢印Ｂ方向参照）に対する頭部４０の係合力を小さくしかつ弛め方向のネジ山３９ａの回動抵抗を大きくすることにより、締めつけ状態からの取り外しが不能となっている。なお、このような封印ビス３８には、例えば日東精工株式会社製の商品名；ギザタイト、品番ＧＴＰ３ＸＬを使用することができ、あるいは実開昭５９−４７１１４号公報、特開平３−１０３６０７号公報に開示されたネジを代用することも可能である。
【００２６】
次に、封印部３７について説明する。図７に示すようにケース体１２の側壁１２ａには、有底状の下孔４２ａを有する封印ボス部４２が開封部４２ｂを介して側方へ突出状に形成されている。またカバー体１３の側壁１３ａには、ケース体１２の封印ボス部４２に対応して封印締着部４４が開封部４４ｂを介して側方へ突出状に形成されている。両開封部４２ｂ，４４ｂは、平面的に見てほぼ同じ幅の首状に細く形成されており、ニッパー、カッター等の切断工具により切断可能となっている。また封印ボス部４２と封印締着部４４との合わせ面には、相互に嵌まり合う円形の係合凸部４６ａと係合凹部４６ｂとからなる係合手段が設けられている。
【００２７】
前記封印締着部４４は、ほぼ円筒状に形成されており、図示下端部にビス孔４４ａを有しており、そのビス孔４４ａより図示上方部分にビス保持部４７を有している。ビス保持部４７の上半部には、周方向に２個のスリット４８が形成されている（図４参照）。また図７において、封印ビス３８の頭部４０の外径をｄ１、軸部３９の外径をｄ２としたとき、ビス保持部４７の内径Ｄ１、ビス孔４４ａの口径Ｄ２、封印ボス部４２の下孔の内径Ｄ３は、
Ｄ１＜ｄ１、ｄ２＞ｄ２、Ｄ３＜ｄ２
の寸法関係を満たすように形成されている。また封印締着部４４は、封印ビス３８を収容可能な高さを有している。
【００２８】
上記封印締着部４４において、ビス保持部４７に封印ビス３８が挿入されることにより、封印ビス３８の頭部４０によりビス保持部４７がスリット４８間を開くように拡開され、その拡開に抵抗する弾性によって頭部４０が保持されることによって仮止めされる（図６参照）。そして、ケース体１２に対するカバー体１３の組付けにともないケース体１２の封印ボス部４２とカバー体１３の封印締着部４４とが係合凸部４６ａと係合凹部４６ｂの嵌め合いを介して同一軸線上に位置する（図６参照）。そして封印に際しては、封印ビス３８が回動工具によって当該封印ボス部４２の下孔４２ａに締め付けられることによって封印がなされる（図５参照）。
【００２９】
次に、図１０に示すように各封印締着部４４の図示右側面にはそれぞれ凸部４４ｃが側方へ張出し状に形成されている。一方、各封印ボス部４２の図示右側の側面にもほぼ同じ形状の凸部４２ｃが側方へ張出し状に形成されているが、各凸部４２ｃ，４２ｃ間は相互に補助開封部４３により一体に連結されている。このため、図１および図４に示すように、当該封印部群３６を平面的に見ると、ケース体１２側の開封部４２ｂはカバー体１３側の開封部４４ｂにちょうど重ね合わさっているため目視できないが、上記補助開封部４３〜４３はケース体１２側にのみ形成されてカバー体１３側の凸部４４ｃからはみ出しているので平面的に見ても直接目視することができるようになっている。
【００３０】
次に、図４に示すように、封印部群３６の４個の封印部３７は、図示上から下へ１回目用、２回目用、３回目用、４回目用の封印部３７となっており、カバー体１３の開封部４４ｂの上面およびケース体１２の開封部４２ｂの下面には、封印順位を示す「１，２，３，４」の封印番号５０が付されている。封印番号５０は図８によく表されている。制御基板収納ボックス１０の組み立て完了時には、各封印部群３６の「１」の封印番号５０の封印部３７が封印ビス３８によって封印されており、各封印部群３６の「２，３，４」の封印番号５０の封印部３７は予備であって封印されていない。なお封印番号５０は、印刷、刻み込み、樹脂成形金型によって付けることができる。また封印番号は、算用数字の他、ローマ数字、アルファベット、記号等でも代用することが可能である。
【００３１】
また、図４に示すように、カバー体１３の各開封部４４ｂおよび各凸部４４ｃの上面にはローレットにより細かい網目模様５１が形成されている。網目模様５１は、ローレットによる他、樹脂成形金型によって成形することもできる。なお網目模様５１の形状は、図示した格子目の他、すじ目、斜目にしてもよい。さらに、図示は省略したが網目模様５１は、ケース体１２の開封部４２ｂ、凸部４２ｃおよび補助開封部４３の下面にも上記と同様に設けられている。
【００３２】
以上のように構成された本実施形態の制御基板収納ボックス１０によれば、ケース体１２とカバー体１３とを取り外し不能に封印する封印ビス３８によって各封印部群３６の「１」の封印番号５０の封印部３７が封印されているため、当該制御基板収納ボックス１０の不正開封ひいては制御基板１１の不正改造を防止することができる。
【００３３】
特に、ケース体１２側の封印ボス部４２，４２間は補助開封部４３により連結されているので、カバー体１３を開封するには少なくとも上記補助開封部４３を切断する必要がある。また、この補助開封部４３は、カバー体１３側からはみ出した部分であるので、平面的に見ても容易に目視できる。このことから、仮に当該制御基板収納ボックス１０の不正開封があった場合を想定すると、ケース体１２側の開封部４２ｂがカバー体１３側の開封部４４ｂに重ね合わされて平面的に見て目視しづらい場合であっても、上記補助開封部４３が切断されている痕跡を容易に発見することができ、ひいては不正開封の事実を従来よりも迅速かつ確実に発見することができる。
【００３４】
これに対して、当局の立ち入り検査等の場合において、カバー体１３を正当な理由の下に外したい場合には、３ヶ所の封印部群３６の「１」の封印番号５０における開封部４２ｂ，４４ｂおよび補助開封部４３を切断することにより、前記封印ビス３８を締め付けたままカバー体１３を簡単に取り外すことができる。これにより制御基板１１の実装面１１ａの検査が可能となる。なお、封印部３７の開封に際しては、カバー体１３の開封部４４ｂとケース体１２の開封部４２ｂのうち、少なくとも一方が切断されればよいが、この場合には封印締着部４４および封印ボス部４２が残るため、開封の経歴を明確にしておくためには両開封部４２ｂ，４４ｂをともに切断して使用済みの封印締着部４４および封印ボス部４２は完全に除去しておくことが望ましい。
【００３５】
一回目の開封後における再封印にあたっては、３ヶ所の封印部群３６における「２」の封印番号５０の封印部３７のビス保持部４７に仮止めされた封印ビス３８を回動工具により封印ボス部４２に締め付けて封印すれば、制御基板収納ボックス１０を再使用することができる。上記の繰り返しにより、封印番号５０の「３」、「４」の順に封印をやり直すことができる。従って、本形態の制御基板収納ボックス１０の場合、４回分の封印が行える。
【００３６】
上記した制御基板収納ボックス１０によると、予め図６に示すように封印部３７に封印ビス３８を仮止めしておくことにより、封印に際し封印ビス３８を即時に使用して封印することができる。従って、封印に際し封印ビス３８を用意する手間を省くとともに、封印ビス３８の紛失を防止することができる。
【００３７】
さらに、封印番号５０により封印部３７の封印順位が明確に表示されるため、封印順位をホール管理者等が容易に管理することができ、不正改造行為を容易に発見することができる。
【００３８】
また、不正改造の目的で開封部４２ｂ，４４ｂおよび補助開封部４３を切断した場合には、その開封にともない網目模様５１が破損し、その破損した網目模様５１の改修が技術的に困難となるため、その破損状況からも不正改造行為を容易に発見することができる。しかも、開封部４２ｂ，４４ｂに網目模様５１とともに封印番号５０を設けたため、開封によって封印番号５０も読み取れなくなることによっても、不正改造行為の発見がしやすくなる。
【００３９】
さらに、ケース体１２の側壁１２ａのうち、カバー体１３の側壁１３ａと突き合わせとならない部分（図２において左側の部分）の上端位置が、制御基板１１と前記側壁１３ａとの当接位置よりも高い位置にあるため、カバー体１３の側壁１３ａと制御基板１１との間から針金等の異物を制御基板収納ボックス１０内へ挿入しにくくなり、これまた不正改造行為を防止するに有効である。
【００４０】
このように本実施形態の制御基板収納ボックス１０のケース体１２とカバー体１３間の四周の適宜箇所に封印部群３６を配設し、この封印部群３６の封印部３７に不正を行った場合、封印ボス部４２の開封部４２ｂ、封印締結部４４の開封部４４ｂおよび補助開封部４３に不正の痕跡を目視により発見することができるようにしたものであり、さらに、不正に入手した制御基板収納ボックスとの不正交換あるいは他のパチンコ機の制御基板収納ボックスとの交換を防止するため、当該制御基板収納ボックス１０の例えばカバー体１３には管理番号シート５５が取付けられている。
【００４１】
この管理番号シート５５に付される管理番号は、
パチンコ機メーカーが機械出荷時に、
（ａ）遊技板に遊技板番号シールを貼着する。
（ｂ）制御基板収納ボックス１０の例えばカバー体１３にメーカー側が機種により統一設定した制御基板の管理番号を付した管理番号シート５５をカバー体１２の管理番号シート取付部２９に取付け、また、開封履歴シート貼着部２９には開封履歴シール５６が貼着される。
そして、メーカーが出荷時に遊技板番号、制御基板管理番号を記録し、何処のホールにどの遊技板、制御基板を出荷したかを管理する。ここで、遊技板に付される遊技板番号シールに付される遊技板番号と管理番号シート５５に付される管理番号すなわち制御基板管理番号は１対１の同一番号である。
【００４２】
このように封印部３７を設けられた制御基板収納ボックス１０において、カバー体１３に貼着される管理番号シート５５を剥がされないように構成することが重要課題となり、この管理番号シート５５は以下のように構成されている。
【００４３】
（第１の実施例）
この管理番号シート５５はカバー体１３の管理番号シート取付部２９に取付けられるもので、このカバー体１２の管理番号シート取付部２９においては、図１１（ａ）（ｂ）に示すように略長方形状で管理番号を付した管理番号シート５５を嵌込み可能とする嵌込み凹部５７が凹設されるとともに、この嵌込み凹部５７にはほぼ同一面に嵌込み可能とする合成樹脂プレート（透明性）の閉止部材５８とより構成されている。なお、この管理番号シート５５は容易に破断される例えば紙等から形成されている。このように形成された管理番号シート５５の例えば裏面側の１／３程度の部分には糊等の接着剤５９が塗布されて嵌込み凹部５７の底部５７ａに貼着される。そして、表面側の反対側の１／３程度に接着剤５９が塗布される。この状態で閉止部材５８の四周面あるいは嵌込み凹部５７の四周縁にエポキシ樹脂等の接着剤６０が塗布された状態で、同閉止部材５８は嵌込み状に接着固定される。
【００４４】
このように管理番号シート５５をカバー体１３の管理番号貼着部２７に埋め込み状に取付けた封印部群３６を設けた制御基板収納ボックス１０において、制御基板１１に不正を行うために新たな制御基板収納ボックスを不正に入手して取換えようとしても、カバー体１３には管理番号シート５５が閉止部材５８により埋め込み状に取付けられており、この管理番号シート５５を取出すため閉止部材５８を外そうとする場合に、閉止部材５８と嵌込み凹部５７との間の接着剤６０を溶融して取外そうしても、エポキシ樹脂等の接着剤６０で接着固定したものであるから、通常の溶融手段等では閉止部材５８を取外すことができず、たまさか外れたとしても、閉止部材５８の下面側には管理番号シート５５のほぼ１／３程度が接着剤５９により接着され、また、管理番号シート５５の下面側１／３程度が嵌込み凹部５７の底部５７ａに接着されているので、この閉止部材５８を取外すと、管理番号シート５５の接着されていない部分で破れてしまい、また、接着部分を剥がすことは困難となり、制御基板１１に不正を行ったとしても、管理番号シート５５の再利用は不可能となり新たなボックスの使用は不可となる。また、他の機械の制御基板収納ボックス１０を利用しようとしても、上記のように管理番号シート５５が破損するので、利用が不可能となり、制御基板１１に対する不正を防止できる。また、ケース体１２およびカバー体１３を破壊して、制御基板１１に不正を行って新たなボックスを利用しても、管理番号シート５５がなく、また、他の機械の制御基板収納ボックス１０を利用しても、当該ボックスの管理番号と遊技板番号とが不一致となり、不正基板を発見できる。
【００４５】
（第２実施例）
この第２実施例では、カバー体１２の管理番号シート取付部２９において、図１２に示すように略長方形状で管理番号を付した管理番号シート５５を嵌込み可能とする嵌込み凹部６１が凹設されるとともに、この嵌込み凹部６１の幅狭側には対応してあり溝６２が形成されている。また、この嵌込み凹部６１に嵌込まれる閉止部材６３にはあり溝６２と嵌込み係止される係止部６４が形成されている。このように形成された嵌込み凹部６１にはその底部６１ａに沿って管理番号シート５５が管理番号を上面にして納められるとともに、閉止部材６３はその係止部６４があり溝６２に係止されて同一面に嵌込み固定される。
【００４６】
このようにあり溝６２を有する嵌込み凹部６１にあり溝６２と係合する係止部６４を有する閉止部材６３との間に管理番号シート５５を納める構成としたものであるから、閉止部材６３はあり溝６２より外すことができないので、管理番号シート５５を取出すことができず、したがって、新たな制御基板収納ボックスあるいは他の機械の制御基板収納ボックスの利用が不可能となり、制御基板１１に対する不正を防止できるとともに、第１実施例と同様に不正基板を発見できる。
【００４７】
なお、管理番号シート５５の取付け固定の第２実施例において、管理番号シート５５をあり溝６２を有する嵌込み凹部６１にあり溝６２と係合する係止部６４を有する閉止部材６３との間に納める構成としたが、これに限定するものではなく、管理番号シート５５を第１実施例のように貼着する構成としてもよい。
【００４８】
このように本発明の実施形態においては、複数の封印部３７からなる封印部群３６を有する制御基板収納ボックス１０において、そのカバー体１３の例えば管理番号シート取付部２９に嵌込み固着手段により管理番号シート５５を固着する構成としたものであり、この嵌込み固着手段はカバー体１３に嵌込み凹部５７を凹設するとともに、同嵌込み凹部５７に嵌込む閉止部材５８とより構成してこの嵌込み凹部５７と閉止部材５８との間に管理番号シート５５を破断可能に、あるいは閉止部材５８を離脱不能に設ける構成としたものである。
【００４９】
したがって、複数の封印部３７を破断してカバー体１３を開いて制御基板１１を不正改造して次位の封印部３７を封印し、開封履歴シート５６に開封年月日を記録したとしても、ホール店長の手元にある経歴簿と照合することで、不正に封印部３５を破断した痕跡があり、不正開封を発見することができて不正制御基板による損害を軽微とすることができる。とくに、管理番号シート取付部２９の嵌込み凹部５７，５１に管理番号シート５５と共に嵌込み固定した閉止部材５８，６３は取外し不能であり、たまさか、取外したとしても管理番号シート５５が破損して利用が不能となることから、正規の制御基板収納ボックス１０を破壊して、不正に入手した新たな制御基板収納ボックスを利用したとしても、カバー体１３に管理番号シート５５がないことから、不正制御基板収納ボックスであることを容易に視認することができ、不正制御基板を発見することができる。また、当該制御基板収納ボックス１０の封印部３７と開封数を合うように開封できる他の機械の制御基板収納ボックスを利用して開封し、不正制御基板を収納して封止したとしても、不正制御基板を収納したボックスに取付けた管理番号シート５５の管理番号と遊技番番号とが異なるので、不正取換えしたことが判り、不正制御基板を発見することができる。
【図面の簡単な説明】
【図１】
制御基板収納ボックスを示す一部破断平面図である。
【図２】
制御基板収納ボックスの縦断面図である。
【図３】
ケース体の平面図である。
【図４】
封印部群の平面図である。
【図５】
封印部の封印状態を示す縦断面図である。
【図６】
封印ビスの仮止め状態を示す封印部の縦断面図である。
【図７】
封印ビスを仮止めする前における封印部の縦断面図である。
【図８】
封印番号を示す封印部群の平面図である。
【図９】
封印ビスを示す図であり、（ａ）は平面図、（ｂ）は側面図、（ｃ）は下面図、（ｄ）はネジ山の断面図である。
【図１０】
封印部の斜視図である。
【図１１】
（ａ）（ｂ）管理番号シートを固着する第１実施例の説明図である。
【図１２】
管理番号シートを固着する第２実施例の説明図である。
【図１３】
従来の制御基板収納ボックスの平面図である。
【図１４】
図１３の断面図である。
【符号の説明】
１０  制御基板収納ボックス
１１  制御基板
１２  ケース体
１３  カバー体
２９  管理番号シート取付部
３７  封印部
５５  管理番号シート
５７，６１  嵌込み凹部
５８，６３  閉止部材